(57)【要約】【課題】    ４種のテーパー長さの違うポリエステル繊維よりなる筆穂は、全てストレートであって先端をテーパー化した繊維を用いる為穂先のまとまりは良いが、筆毛が密集過ぎて、塗布液が穂先内を流動しにくく、筆記時に筆跡がカスレてしまう問題を有していた。更に、先端をテーパー加工した径の異なる２種類のストレートな筆毛とクリンプを有する筆毛と断面が異形な筆毛を少なくとも混毛してなる筆穂は、穂先のまとまりとタッチは良いがインキの吐出性が悪い問題があった。【解決手段】  先端をテーパー化した合成樹脂製の筆毛よりなる筆穂であって、この筆穂が、ストレートな断面が円形な筆毛と、クリンプを有する断面が円形な筆毛と、ストレートな断面が異形な筆毛を少なくとも混毛してなる筆穂において、この筆穂の断面形状を楕円状、或いは、矩形状とした筆穂。【選択図】  図1
2008030335.tif 000002
【特許請求の範囲】
【請求項１】
先端をテーパー化した合成樹脂製の筆毛よりなる筆穂であって、この筆穂が、ストレートな断面が円形な筆毛と、クリンプを有する断面が円形な筆毛と、ストレートな断面が異形な筆毛を少なくとも混毛してなる筆穂において、この筆穂の断面形状を楕円状、或いは、矩形状としたことを特徴とする筆穂。
【請求項２】
前記筆毛の直径を０．０７ｍｍ〜０．１５ｍｍとしたことを特徴とする請求項１記載の筆穂。
【請求項３】
前記ストレートな断面が円形な筆毛を２０〜６０重量％、クリンプを有する断面が円形の筆毛を２０〜６０重量％、ストレートな断面が異形な筆毛を２０〜６０重量％としたことを特徴とする請求項１、或いは、請求項２に記載の筆穂。
【請求項４】
前記筆穂の先端をその筆穂の断面形状の長手方向に対して傾斜させて構成したことを特徴とする請求項１〜請求項３の何れかに記載の筆穂。
【請求項５】
前記筆穂をその筆穂の中心部の先端から基部に架けて湾曲させて構成したことを特徴とする請求項１〜請求項４の何れかに記載の筆穂。
【発明の詳細な説明】
【技術分野】
【０００１】
本発明は、化粧用アイライナー、ネイルアートやリップカラーなどの化粧液、筆跡修正液、漆器蒔絵用の筆穂といった、特に、顔料粒子の大きい塗布液の塗布具に用いられる筆穂に関し、塗布時の穂先のまとまりが良好で、塗布時の液含みが良く、曲線描き（筆穂を塗布面に押し付けて、曲線描きしたときに安定した曲線が描ける）を良好となした筆穂に関する。
【背景技術】
【０００２】
従来、化粧用アイライナー、リップブラシ、漆器蒔絵用などの筆穂は、馬や鹿、豚、鼬、狸、隈鼠、貂、羊などの獣毛を使用しており、使用目的、使用者の好みなどによって筆穂の硬さ、太さなどを調整するために、上記獣毛の種類や組み合わせ方を変えて製品としている。一般的には、筆毛のテーパー形状が長くその表面状態が繊細で且つ腰の強い、弾力性及び復元力に富む獣毛のみで作った筆補の品質が良いとされている。特に、鼬毛、狸毛、貂毛、隈鼠がその代表である。しかし、獣毛は天然物である為，品質が一定のものが得難いとか、任意の寸法形状のものとすることが困難であるとか、耐磨耗性が低いといった問題があり、更には、鼬、狸、貂、鼠、の収穫量の減少による高価格化といった問題がある。
【発明の開示】
【発明が解決しようとする課題】
【０００３】
そこで、筆穂を形成する獣毛に代わり合成樹脂製筆毛を用いることが行われている。合成樹脂製繊維の先端をテーパー化し、獣毛のような合成樹脂製筆毛となすためには、合成樹脂製繊維を溶解または分解
する処理液に接触させる方法などが提案されている（特許文献１参照、特許文献２参照）。
【０００４】
ところで、先端をテ−パー化した合成樹脂製筆毛を用いた筆穂には、ポリアミドを材質としたものと、ポリブチレンテレフタレートやポリエチレンテレフタレートのようなポリエステル系化合物のものがある。
ポリアミドを材料とした筆穂は、適度な弾力と柔軟性を有するという長所はあるが、吸収性が強く、一定な弾力を維持させる為には、繊維（筆毛）にある程度の太さを維持させなければならない為、柔らかさがなくなるという問題点がある。これを解決するため、先端をテーパー加工した筆毛を波状にクリンプして、その波長が各々相違する多数の先端をテーパー化した合成樹脂製筆毛よりなる筆穂（特許文献３参照）などが提案されている。
【０００５】
一方、ポリアミド以外の材料としては、ポリブチレンテレフタレートやポリエチレンテレフタレートのようなポリエステル系の材料のものは、耐久性が良いだけでなく、吸収性が低い為、弾力性に優れているが、筆穂のタッチを良くするには、繊維（筆毛）の太さを細く維持しなければならない為、腰が弱く、塗布時に腰砕けするといった問題があった。
これらを解決する為には、ポリエステル繊維を加水分解により得た、４種類のテーパー長さの違う繊維（筆毛）を混毛してなる筆穂（特許文献４参照）などが提案されている。
【特許文献１】特公昭４９−６１５９号公報（特許請求の範囲）
【特許文献２】特公昭６０−３０５５６号公報（第３欄２４行目から第４欄１５行目）
【特許文献３】実開昭６２−１１４７８１号公報（実用新案登録請求の範囲）
【特許文献４】実開昭５６−８３０７３号公報（実用新案登録請求の範囲）
【課題を解決するための手段】
【０００６】
しかしながら、上記クリンプの波長が各々相違する多数の合成樹脂製筆毛よりなるものの場合、筆穂はソフトになるが、空間率が大きくなり易く穂先が広がりすぎて穂先のまとまりが劣る（穂先バラケ）といった問題を有していた。又、４種類のテーパー長さの違うポリエステル繊維（筆毛）である為、塗布時の弾力性は良いが、塗布時の書き味がハードであるといった問題が残されていた。つまり、具体的に説明すると直線を塗布する場合には一定幅の線を塗布することが出来るが、直線から曲線に筆の動きを変え塗布する場合や、鈍角や直角、鋭角な角を有する線を塗布する場合には、筆の動きを変えた際、塗布する線の幅が変わってしまうのである。
本発明は、ストレートな筆毛・クリンプを有する筆毛・断面が異形な筆毛の繊維を適度に組み合わせることによって、上記問題を解決するものであり、塗布液を塗布する筆穂であって、塗布時の穂先のまとまりと腰の安定性が良好で、液含みがよく、筆穂を押し付けて曲線描きしたときに安定した曲線が描ける筆穂を提供することを課題とするものである。
【発明の効果】
【０００７】
本発明は、先端をテーパー化した合成樹脂製の筆毛よりなる筆穂であって、この筆穂が、ストレートな断面が円形な筆毛と、クリンプを有する断面が円形な筆毛と、ストレートな断面が異形な筆毛を少なくとも混毛してなる筆穂において、この筆穂の断面形状を楕円状、或いは、矩形状としているので、塗布時穂先のまとまりと腰の安定が良好で、又液含みが良く、穂先を押し付けて曲線描きしたときに太い線も細い線も安定した曲線が描ける筆穂が得られるものである。
【発明を実施するための最良の形態】
【０００８】
以下、本発明について説明する。図１において、参照符号1は化粧用筆穂であり、この筆穂1は、固定管５に挿入固定され，この固定管５は後端６の前端に挿入固定され，筆を形成している。
また、筆穂１は先端をテーパー化したストレートな断面が円形な筆毛２と、先端をテーパー化したクリンプを有する断面が円形な筆毛３と、ストレートな断面が異形な筆毛４とを用いて長手方向に集束し、後端を熱溶着や接着剤による接着などの方法により固定して形成したものである。
【０００９】
筆毛に使用している合成樹脂製の材料としては、ポリアミド(６.６−ナイロン、６−ナイロン、1２ナイロン、６.１０−ナイロン、６．１２−ナイロンなど)と、ポリエステル（ポリエチレンテレフタレート、ポリブチレンテレフタレートなど）、ポリウレタン、ポリアクリロニトリル、アクリロニトリルースチレン共重合物、アクリロニトリルーブタジエン共重合物などを用いることが出来るが、各筆毛の材質は同一であっても異なっていても良い。
先端をテーパー加工したストレートな筆毛２は、市販品としてはタイネックスブラッシュフィラメント:Ｒｏｕｎｄタイプ０９００シリーズ（材質：ナイロン、米国デュポン社製）が挙げられる。
先端をテーパー加工したクリンプを有する筆毛３は、市販品としてはタイネックスブラッシュフィラメント：Wavyタイプ（材質：ナイロン：波形状：米国デュポン社製）が挙げられる。
先端をテーパー加工した断面が異形な筆毛４は、市販品としてはタイネックスブラッシュフィラメント：Ｑｕａｄｒｉｌｏｂａｉタイプ０９２０シリーズ（材質：ナイロン断面形状：クローバー状、米国デュポン社製）タイネックスブラッシュフィラメント：０９６０シリーズ（材質ナイロン：断面形状、シーホース型、米国デュポン社製）、タイネックスブラッシュフィラメント：Ｈｏｌｌｏｗタイプ０９５０シリーズ（材質：ナイロン、断面形状、ドーナッツ状、米国デュポン社製）、カシミロンＴＡＢＲシリーズ（材質：ポリアクリロニトリル、断面形状、略三角形、旭化成工業(株)製）などが例示出来る。
尚、断面形状異形とは筆毛の軸方向に垂直な面の形状が円形以外のものであり、上記市販品として例示したように略十字状（図４参照）、略三角形状（図５参照）、略Ｙ字状、クローバー状や半円状、短形状のものがあり、特に断面が略十字状といった放射状形状のものの方が半円形、短形状のものより顕著な効果を示すので好ましい。
【００１０】
この筆穂１は、先端をテーパー化したストレートな断面が円形な筆毛２と先端をテーパー化したクリンプを有する断面が円形な筆毛３と先端をテーパー化したストレートな断面が異形な筆毛４を少なくとも混毛し、このすべての筆毛の直径が０．０７〜０．１５ｍｍのものを用いるのが好ましい。尚、ここで言う筆毛の径とは、テーパー加工されていない部分の径を言うものである。以下、具体的に混合割合などを説明する。
【００１１】
前記ストレートな断面が円形な筆毛を使用する目的は、塗布時の腰安定と穂先のまとまりを良くする目的の為使用するものである。その直径として筆毛２は、０.０７〜０.１５ｍｍが好ましい。その理由は、筆毛２の直径が０．０７ｍｍに満たないと穂先先端の腰が弱く筆記時に腰砕けすることがあり、直径が０.１５ｍｍ越えると腰が強すぎて、筆記時に筆穂側面から筆毛がはみ出すからである。
又、筆穂１に占める割合としては、２０〜６０重量％が好ましい。その理由は、２０重量％に満たないと腰が安定しにくく、腰砕けすることがあり、７０重量％を超えると塗布液の保持性が悪くなったり、筆記時に筆穂側面から筆毛がはみ出すからである。
尚、ストレートな断面が円形な筆毛２は、直径が０．０７〜０．１５ｍｍの範囲であれば何種類使用しても良い。
【００１２】
クリンプを有する断面が円形な筆毛３は、筆記時のタッチを滑らかにして塗布液の保持性を向上させる目的の為に使用するものであって、そのクリンプ状態としては、種々のものが採用できる。その直径としては、筆毛３は、０．０７〜０．１５ｍｍ程度が好ましい。その理由は、直径が０．０７ｍｍ満たないと穂先が柔らかくなりすぎて穂先が曲がり筆記しづらくなり、直径が０．１５ｍｍを超えると空間率が大きくなりすぎ、穂先のまとまりが悪くなるからである。
又、筆穂１に占める割合としては、２０〜６０重量％が好ましい。その理由は、２０重量％に満たないと塗布時において、塗布液の保持性が悪くなり、６０重量％を超えると筆記時に筆穂がバラケたり割れたりすることがあるからである。
【００１３】
ストレートな断面が異形な筆毛４は、塗布液の吐出性向上の目的のために使用するものである。その直径として筆毛４は、０．０７〜０．１５ｍｍ程度が好ましい。その理由は、直径が０．０７ｍｍに満たないと空間率が小さくなり吐出性が低下し、直径が０．１５ｍｍを超えると空間率が大きくなりすぎて、穂先のまとまりが悪くなるからである。
又、筆穂１に占める割合としては、２０〜６０重量％程度が好ましい。その理由は、２０重量％に満たないと空間率が小さくなりすぎて塗布液の吐出を悪くし、穂先割れすることがあり、６０重量％を超えると空間率が大きくなりすぎて穂先がバラケたり割れたりすることがあるからである。
【００１４】
発明の筆穂を製造するに当たっては、上記３種類の筆毛を少なくとも混毛し、後端を溶着、接着又は、後部を糸などで縛って筆毛の脱落を防止して筆穂となす訳であるが、混毛された筆穂はストレートな筆毛２とクリンプを有する筆毛３と断面が異形な筆毛４とがお互いに均一に配列されていることが望ましい。
また、前記筆毛１の横断面形状は、楕円形状（図２参照）をなしているが、角部に丸みを形成した略長方形の矩形状となしても良い。また、前記角部の丸みに変え、短い辺部としても良く、この様な場合には、八角形をなした矩形状となるが、十二角形をなした矩形状などであっても良い。さらに、本実施例においては、筆毛１の先端を固定管５の先端面と平行な直線状としたが、筆穂の先端をその筆穂の断面形状の長手方向に対して傾斜させて形成しても良く（図６参照）、或いは、筆穂の先端をその筆穂の中心部の先端１ａから基部１ｂに架けて湾曲させて形成しても良い（図７参照）。
【００１５】
以下、実施例を説明する。
図１は、本発明の化粧用筆穂の使用例である筆を示すものである。参照符号１は、アイライナー化粧用筆穂であり、後述する筆毛２、３、４を混毛し、その後部を溶着したものである。その筆穂１は、固定管５に挿入固定され、筆を形成している。
筆毛は、先端をテーパー化したストレートな断面が円形な筆毛２と、先端をテーパー化したクリンプを有する断面が円形な筆毛３と、ストレートな断面が異形な筆毛４を用いるが、他の条件を表１に示す。
【００１６】
【表１】
2008030335.tif 000003
【００１７】
実施例１〜１０、比較例１〜８
表２に実施例１〜１０，並びに、比較例１〜８の筆穂の筆毛の配合を示す。
【００１８】
【表２】
2008030335.tif 000004
【００１９】
上記実施例１〜１０および比較例１〜８の生インキ式のアイライナーを用いて図1のように筆を形成し、アイライナー使用時の塗布試験を行った。
【００２０】
塗布試験(モニター調査)
方法；任意に抽出した女性にアイライナーの使用性についてモニター調査を実施した。
【００２１】
【表３】
2008030335.tif 000005
【産業上の利用可能性】
【００２２】
本発明に係る筆穂は、先端をテーパー化したストレートな断面が円形な筆毛と先端をテーパー化したクリンプを有する断面が円形な筆毛と先端をテーパー化したストレートな断面が異形な筆毛とを少なくとも混毛してなるので、先端をテーパー化したストレートな断面が円形な筆毛が塗布時の筆穂のまとまりと腰の安定性を良くし、また、先端をテーパー化したクリンプを有する断面が円形な筆毛が塗布時のタッチを滑らかにするため、綺麗な曲線が描け、さらに、先端をテーパー化したストレートな断面が異形な筆毛が塗布時の吐出性を良くするので、塗布時の筆穂のまとまりと腰安定性が良好で、液含みが良く、筆穂を押し付けて曲線描きしたときに太い線も細い線も安定した曲線が描ける筆穂が得られるものである。
【図面の簡単な説明】
【００２３】
【図１】本考案の一実施例の筆穂を装着した筆の正面図。
【図２】図１の上面図。
【図３】筆毛の拡大模式図。
【図４】断面が異形な筆毛４の横断面図。
【図５】図４の変形例を示す横断面図。
【図６】（ａ）筆穂の先端の変形例を示す正面図。  （ｂ）筆穂の先端の変形例を示す上面図。
【図７】（ａ）筆穂の先端の変形例を示す正面図。  （ｂ）筆穂の先端の変形例を示す上面図。
【符号の説明】
【００２４】
１      筆穂
２      先端をテーパー加工したストレートな筆毛
３      先端をテーパー加工したクリンプを有する筆毛
４      先端をテーパー加工した断面が異形な筆毛
５      固定管
６      軸
【図１】
2008030335.tif 000006
【図２】
2008030335.tif 000007
【図３】
2008030335.tif 000008
【図４】
2008030335.tif 000009
【図５】
2008030335.tif 000010
【図６】
2008030335.tif 000011
【図７】
2008030335.tif 000012